(57)【要約】【課題】  ドライバーへの注意を促す視線誘導標識において、間伐された木材を有効利用することができ、支柱、ガードレール等への取付が容易で扱いやすい視線誘導標識を提供することを目的とする。【解決手段】  視線誘導標識１０は主に、道路等に設けられた支柱やガードレールに取り付けられる取付部３０と、この取付部３０の表面及び裏面に取り付けられる反射鏡２０とからなり、取付部３０は間伐材を粉砕したものとポリプロピレン樹脂とを混合した材料から形成されていることを特徴とする。【選択図】図１
2006132279.tif 000002
【特許請求の範囲】
【請求項１】
ドライバーへの注意を促す視線誘導標識であって、
反射鏡と、
前記反射鏡が取り付けられる取付部とを備え、
前記取付部は樹脂と木材との混合材からなることを特徴とする視線誘導標識。
【請求項２】
支柱部を備え、
前記支柱部は樹脂と木材との混合材からなることを特徴とする請求項１に記載の視線誘導標識。
【請求項３】
前記反射鏡は前記取付部に着脱可能に取り付けられることを特徴とする請求項１又は２に記載の視線誘導標識。
【請求項４】
発光部が設けられていることを特徴とする請求項１乃至３のいずれかに記載の視線誘導標識。
【請求項５】
前記取付部は第１部材と第２部材とからなり、
前記取付部は周囲に凹部を有し、
前記第１部材と前記第２部材を組み合わせる際に前記反射鏡が前記凹部に嵌合することにより前記反射鏡が前記取付部に取り付けられることを特徴とする請求項１乃至４のいずれかに記載の視線誘導標識。
【請求項６】
前記反射鏡は凸部を有し、
前記取付部はＬ字型のＬ字凹部を有し、
前記凸部が前記Ｌ字凹部に嵌合することにより、前記反射鏡が前記取付部に取り付けられることを特徴とする請求項１乃至５のいずれかに記載の視線誘導標識。
【請求項７】
ドライバーへの注意を促す視線誘導標識に用いられる取付部であって、
樹脂と木材との混合材からなることを特徴とする取付部。
【発明の詳細な説明】
【技術分野】
【０００１】
本発明は、本発明は、主に夜間や薄暗い時に車両のライト光を反射してドライバーへ注意を促すための視線誘導標識及び取付部に関するものである。
【背景技術】
【０００２】
車両が通行する道路の路肩等には視線誘導標識が設置される。視線誘導標識は、鉄やアルミニウム合金等の金属製の支柱にポリカーボネート樹脂等の化学合成樹脂で製作された反射体を取り付けている。また、反射鏡を支柱に取り付けるための取付部はアルミ等の金属により形成されたものが一般的である。
ここで、植林において、一部の木の育ちを良くするためにその他の木が間伐されているが、これらの間伐された木材のほとんどは有効利用されずに廃材となっている。
これに鑑みて、従来から、間伐材に反射鏡を取り付ける技術が提供されている（例えば、特許文献１参照）。
【特許文献１】特開２００２−２４２１３０号公報
【発明の開示】
【発明が解決しようとする課題】
【０００３】
しかし、これでは次のような不都合があった。
第１に、間伐材は大きさ、形状が不揃いであるため扱いづらいという問題があった。
第２に、支柱以外には間伐材を有効利用できていなかった。
本発明は斯かる問題点を鑑みてなされたものであり、その目的とするところは、上記問題点を解決できる技術を提供する点にある。
【課題を解決するための手段】
【０００４】
本発明は上記課題を解決すべく、以下に掲げる構成とした。
請求項１記載の発明の要旨は、ドライバーへの注意を促す視線誘導標識であって、反射鏡と、前記反射鏡が取り付けられる取付部とを備え、前記取付部は樹脂と木材との混合材からなることを特徴とする視線誘導標識に存する。
請求項２記載の発明の要旨は、支柱部を備え、前記支柱部は樹脂と木材との混合材からなることを特徴とする請求項１に記載の視線誘導標識に存する。
請求項３記載の発明の要旨は、前記反射鏡は前記取付部に着脱可能に取り付けられることを特徴とする請求項１又は２に記載の視線誘導標識に存する。
請求項４記載の発明の要旨は、発光部が設けられていることを特徴とする請求項１乃至３のいずれかに記載の視線誘導標識に存する。
請求項５記載の発明の要旨は、前記取付部は第１部材と第２部材とからなり、前記取付部は周囲に凹部を有し、前記第１部材と前記第２部材を組み合わせる際に前記反射鏡が前記凹部に嵌合することにより前記反射鏡が前記取付部に取り付けられることを特徴とする請求項１乃至４のいずれかに記載の視線誘導標識に存する。
請求項６記載の発明の要旨は、前記反射鏡は凸部を有し、前記取付部はＬ字型のＬ字凹部を有し、前記凸部が前記Ｌ字凹部に嵌合することにより、前記反射鏡が前記取付部に取り付けられることを特徴とする請求項１乃至５のいずれかに記載の視線誘導標識に存する。
請求項７記載の発明の要旨は、ドライバーへの注意を促す視線誘導標識に用いられる取付部であって、樹脂と木材との混合材からなることを特徴とする取付部に存する。
【発明の効果】
【０００５】
本発明によれば、間伐材を利用しつつ、成形等によって形状・大きさを自由に決めることができるため扱いやすい。
また、取付部にも間伐材を有効利用することができる。
【発明を実施するための最良の形態】
【０００６】
以下、本発明の実施の形態を図面に基づいて詳細に説明する。
なお、各図において、同一構成要素には同一符号を付している。
図１に示されるように、本実施の形態に係る視線誘導標識１０は主に、道路等に設けられた支柱やガードレールに取り付けられる取付部３０と、この取付部３０の表面及び裏面に取り付けられる反射鏡２０とからなる。
【０００７】
図２に示されるように、反射鏡２０は車両のライト光を反射する通常の反射鏡２０であり、円形に形成されている。反射鏡２０は、オレンジ色のポリカーボネート・アクリル樹脂等からなる透光性合成樹脂板であり、裏面がダイヤカットされている。この反射鏡２０の表面に光が照射されると裏面のダイヤカットされた面で反射される構成である。反射鏡２０の周縁には凸部２１が設けられている。また、反射鏡の裏面には防水のため樹脂製のカバーが取り付けられている。
【０００８】
図３に示されるように、取付部３０は間伐材を粉砕したものとポリプロピレン樹脂とを混合した材料から形成されている。ナイロン、ポリスチレン等を用いてもよい。利用される木材は例えば、杉等であり、間伐材を約２ｍｍ３に粉砕し、粉状となった間伐材と樹脂とを混合する。混合材に成形を施す。ここで複数種類の木材を混合させても良い。混合容積比は木材６に対して樹脂４の割合である。
【０００９】
取付部３０は反射鏡２０（図２に示す）が裏表に一枚ずつ設けられる円形のケース部３１と、ケース部３１の下方に設けられた円筒部３６とを有する。この円筒部３６を、取り付け対象である支柱やガードレールの上端にかぶせることにより支柱・ガードレール等に固定される。
ケース部３１は上部ケース３２と下部ケース３３とから構成されている。ケース部３１は表面及び裏面に、反射鏡２０を嵌合するための円形の枠部３４を有している。表面前方及び裏面後方から走行中の車両の光を反射させやすいように、表面及び裏面の枠部３４は互いに約４０度となるように構成されている。したがって、ケース部３１は平面視において横向きの台形型をなしている。
枠部３４の内壁の周縁には凹部３５が設けられている。枠部３４の内壁の径は、反射鏡２０の凸部２１の径より小さく、枠部３４の凹部３５の径は反射鏡２０の径より大きく形成されている。したがって、上部ケース３２と下部ケース３３を嵌め合わせる際に反射鏡２０の凸部２１が枠部３４の凹部３５に嵌合することにより反射鏡２０がケース部３１に取り付けられ、上部ケース３２と下部ケース３３とが解体されると、取付部３０から反射鏡２０が取り外される。
【００１０】
円筒部３６は、ネジ止めにより下部ケース３３に固定されている。円筒部３６には支柱穴３７が設けられており、支柱穴３７の径は取り付ける対象である支柱の径より大きく形成されている。支柱穴３７に支柱が挿入されることにより取付部３０が支柱上端に被せられている。取付部３０はネジ止めされることにより支柱に固定されている。
【００１１】
本実施の形態に係る視線誘導標識１０は上記の如く構成されているので、以下に掲げる効果を奏する。
間伐材を粉砕し樹脂と混合するため成形等による加工が容易であり、希望通りの形状に形成することができる。また、成形によるため安価に大量生産することができる。
また軽量であるため施工作業の効率がよい。
また、色や質感等の外観は木材と同様であるため自然の景観を維持することができる。
本視線誘導標識１０は山間部等にも設置されるものであるため、間伐材を排出する業者が間伐材を利用した本視線誘導標識１０を製造することもあり、廃材を効率的に利用することができる。無料である間伐材を利用することにより、コストを低減することができる。
また、反射鏡２０を着脱可能としたため、廃棄時には分別して取付部３０を“もえるゴミ”として処理することができるため環境にも良い。
また、将来廃棄物処理が企業負担となったときにも負担が軽減する。
【００１２】
なお、本発明が上記各実施形態に限定されず、本発明の技術思想の範囲内において、各実施形態が適宜変更され得ることは明らかである。
また、上記構成部材の数、位置、形状等は上記実施の形態に限定されず、本発明を実施する上で好適な数、位置、形状等にすることができる。
【００１３】
反射鏡２０の裏側、内部あるいは円周部にＬＥＤ等からなる発光部を設け、発光させてもよい。斯かる構成により走行中の車両からはっきりと視認することができる。
また反射鏡２０の表面にブレードを備えたプロペラ式の防塵部材を設けても良い。
【００１４】
上記実施の形態において、上部ケース３２と下部ケース３３とにより形成されることにより反射鏡２０を着脱可能としたが、図４及び図５に示されるように、反射鏡４０の周壁に複数の係合凸部４１を設け、枠部５４の内壁に複数のＬ字型のＬ字凹部５５を設け、係合凸部４１をＬ字凹部５５に嵌め合わせて、回転させることにより反射鏡４０を取付部５０と着脱可能に取り付けて構成してもよい。また、上記とは逆に、反射鏡４０にＬ字型の凹部を設け、取付部５０に係合凸部を設けてもよい。
【００１５】
上記実施例において、取付部３０は、ケース部３１と円筒部３６とからなる場合について説明したが、図６に示されるように、取付部６０は、支柱等を差し込むための円形の支柱穴６７を有するケース部６１のみからなるものであっても良い。
【００１６】
上記実施の形態においては、取付部３０が円筒部３６を有し、円筒部３６を支柱等にかぶせる構成について説明したが、この形に限られるもではなく、フックタイプ、バンドタイプ、擁壁式、差込式であっても適用可能である。
【００１７】
反射鏡２０が両面に設けられている場合について説明したが、図７に示されるように、片面のみであっても適用可能である。
【００１８】
支柱に樹脂と木材との混合材により形成されているものを用いてもよい。また、支柱と一体に形成されていても良い。支柱の側面に反射鏡が直接設けられている場合についても適用可能である。この場合、樹脂と木材の混合材により支柱を形成することにより、木材そのものを利用する場合と比して大きさ、形状を自由に形成することができるため、容易に同型状の視線誘導標識を多数製造することができる。
【図面の簡単な説明】
【００１９】
【図１】本実施の形態にかかる視線誘導標識の斜視図である。
【図２】本実施の形態にかかる反射鏡の斜視図及び側面図である。
【図３】本実施の形態にかかる取付部の斜視図である。
【図４】他の実施形態にかかる反射鏡の斜視図及び側面図である。
【図５】他の実施形態にかかる取付部の斜視図である。
【図６】他の実施形態にかかる取付部の斜視図である。
【図７】他の実施形態にかかる視線誘導標識の斜視図である。
【符号の説明】
【００２０】
１０………………視線誘導標識
２０………………反射鏡（反射鏡）
２１………………凸部
３０………………取付部（取付部）
３１………………ケース部
３２………………上部ケース（第１部材）
３３………………下部ケース（第２部材）
３４………………枠部
３５………………凹部（凹部）
３６………………円筒部
３７………………支柱穴
４０………………反射鏡（反射鏡）
４１………………係合凸部（凸部）
５０………………取付部
５１………………ケース部
５４………………枠部
５５………………Ｌ字凹部（Ｌ字凹部）
５６………………円筒部
５７………………支柱穴
６０………………取付部
６１………………ケース部
６７………………支柱穴
７０………………視線誘導標識（視線誘導標識）
８０………………反射鏡（反射鏡）
９０………………取付部（取付部）
【図１】
2006132279.tif 000003
【図２】
2006132279.tif 000004
【図３】
2006132279.tif 000005
【図４】
2006132279.tif 000006
【図５】
2006132279.tif 000007
【図６】
2006132279.tif 000008
【図７】
2006132279.tif 000009